(57)【特許請求の範囲】
【請求項１】
目的ガスを検出するセンサーの外周に、間隙を確保するように通気性と消炎性とを有し、一端に底部を備えた防爆ケースを装着し、前記防爆ケースの外周に保護枠を設けて構成されたセンサーユニットを、有底の筒状体の防滴ケースに収容した屋外設置用ガス測定装置のガス検出器において、
前記防滴ケースの底部に校正ガス注入口が形成され、また前記保護枠の前記ガス注入口に対向する位置に貫通孔が形成され、前記保護枠と前記防爆ケースとの間にリング状のパッキンを介装して前記校正ガス注入口と前記貫通孔とが接続されていて、前記校正ガス流入口から噴出した校正ガスが前記保護枠の貫通孔を経由して前記防爆ケースの底部を通過して前記間隙に流入するように構成された屋外設置用ガス測定装置のガス検出器。
【発明の詳細な説明】
【０００１】
【発明の属する技術分野】
本発明は、赤外線ガスセンサー等の比較的大型のセンサーを屋外に設置するためのケース構造に関する。
【０００２】
【従来の技術】
センサーを屋外に設置する場合には、被検出ガスの流入を確保しつつ、雨水が浸入するのを防止するため、図６に示したようにセンサーユニットＡに気体透過性の膜が張設された筒状のカバーＢを装着することが行われている。
一方、センサーは、検出感度が経時的に変化するため、既知濃度の校正用ガスをセンサーに流入させて校正作業を行う必要がある。
【０００３】
【発明が解決しようとする課題】
この場合、センサーに校正用ガスを確実に到達させるため、校正ガス注入口Ｃを備えたガス注入筒Ｄを外周に装着して校正ガスが確実にセンサーユニットに到達させる必要があり、校正作業に手間が掛るという問題がある。
本発明はこのような問題に鑑みてなされたものであって、その目的とするところは、ガス注入筒等の遮蔽部材を必要とすることなく、校正用ガスをセンサーに到達させることができる屋外設置用ガス測定装置のガス検出器を提供することである。
【０００４】
【課題を解決するための手段】
このような問題を解消するために本発明においては、目的ガスを検出するセンサーの外周に、間隙を確保するように通気性と消炎性とを有し、一端に底部を備えた防爆ケースを装着し、前記防爆ケースの外周に保護枠を設けて構成されたセンサーユニットを、有底の筒状体の防滴ケースに収容した屋外設置用ガス測定装置のガス検出器において、前記防滴ケースの底部に校正ガス注入口が形成され、また前記保護枠の前記ガス注入口に対向する位置に貫通孔が形成され、前記保護枠と前記防爆ケースとの間にリング状のパッキンを介装して前記校正ガス注入口と前記貫通孔とが接続されていて、前記校正ガス流入口から噴出した校正ガスが前記保護枠の貫通孔を経由して前記防爆ケースの底部を通過して前記間隙に流入するように構成されている。
【０００５】
【作用】
センサーの校正が必要となった場合には、校正ガス注入口から校正ガスを注入すると、その圧力で防爆ケースに到達し、防爆ケース細孔を通過してセンサーに到達するから校正が可能となる。
【０００６】
【発明の実施の態様】
そこで以下に本発明の詳細を図示した実施例に基づいて説明する。
図１は、センサーに装着されてセンサーを屋外で使用可能とするための防滴カバー１の一実施例を示すものであって、センサー本体の外周と若干の間隙を形成するように一端が蓋部２で封止され、他端に挿入口３を備えた筒状体４として構成されている。
【０００７】
挿入口側には後述するセンサーユニット２０に装着された状態では気密性を確保するためのパッキン５が設けられ、また蓋部２にはそのほぼ中心に校正ガス注入口６が形成されている。
【０００８】
筒状体４は、雨水等の浸入を防止しつつ、被検ガスを確実に透過させるため、貫通孔７ａが穿設された保護筒７に、撥水性を有するガス透過性膜８を挟むように不錆性材料の金網９、１０で補強した内筒１１を挿入して構成されている。
【０００９】
図２乃至図４は、上述のカバーが装着されるセンサーユニット２０の一実施例を示すものであって、この実施例では、赤外線ガスセンサー２５が使用されている。センサー２５は、ガス取入口２１が穿設された筒状体からなるチャンバー２２の一端に発光素子２３が、また他端に受光素子２４が対向する状態で配置して構成されている。
【００１０】
この実施例では、防爆構造とする関係上、赤外線ガスセンサー２５は、図３に示したように金属粉を焼結して通気性と消炎性を確保した有底筒状の防爆ケース２６に収容されて一端を基台２７に固定されている。さらに防爆ケース２６の外周にはこれを破損から保護するため、枠部２８ａ、２８ｂを要所に備えた保護枠２８を装着して基台２７に固定することによりセンサーユニット２０して纏められている。
【００１１】
保護枠２８は、図４に示したようにその先端２８ｃの校正ガス注入口６に対向する位置に貫通孔２９が形成されており、貫通孔２９と防爆ケース２６の先端２６ａとがリング状パッキン３０を介して気密的に接続されている。
【００１２】
このセンサーユニット２０に図１に示したカバー１を装着すると、図５に示したようにセンサーユニットの基台２７側にパッキン５が嵌合して気密性を確保し、また先端側はガス注入口６が保護枠２０の貫通孔２９を通して防爆ケース２６の先端部２６ａに対向する。
【００１３】
この状態では被検ガスとともに雨水が内筒１１まで到達しても、雨水はガス透過性膜８により浸入を阻止され、被検ガスだけがセンサーユニット２５に到達する。防爆ケース２６の外周に到達した被検ガスは、防爆ケース２６を構成する焼結金属の細孔を通過してガス取入口２１からチャンバー２２の内部に流れ込む。これにより、雨水の浸入を阻止しつつ被検ガスの濃度を測定することができる。
【００１４】
一方、センサーユニット２０の校正が必要となった場合には、校正ガス注入口６の先端からボンベ等により校正ガスを注入すると、図５に示したように校正ガス注入口６の後端から校正ガスが噴出する。
【００１５】
校正ガスＧは、パッキン３０と保護枠２８の貫通孔２９とで確保された空間を圧力室とするようにして貫通孔２９から防爆ケース２６を構成する焼結金属の細孔を通過してチャンバー２２の外周と防爆ケース２６の内周との隙間３１に流れ込み、この間隙３０をさらに奥側に移動してガス取入口２１からチャンバー２２の内部に流れ込む。したがって、この状態でセンサー２５を校正することができる。
【００１６】
校正が終了した段階で校正ガスの注入を止めると、防爆ケース２６やセンサー２５の校正ガスは拡散により大気に置換されて測定が可能となる。
【００１７】
なお、上述の実施例においては、防滴ケース１及びセンサーユニット２０を有底の筒状体として形成し、またその底部の中心に校正ガス注入口６を設け、防爆ケース１の底部に校正ガスを噴射させるので、防滴ケース１が所定位置に装着しさえすれば、規定の位置に校正ガスを注入できるが、周面に校正ガス注入口を形成して防爆ケースの周面に校正ガスを噴射させるようにしてもほぼ同様の効果が得られる。
【００１８】
また上述の実施例においては、防爆ケースの外周に保護枠を装着しているが、防滴ケースによりセンサーを十分に保護できる場合には、保護枠が不要となる。この場合には校正ガス注入口を防爆ケースに可及的に近くなるように延長すればよい。
【００１９】
【発明の効果】
以上、説明したように本発明によれば、校正ガス流入口から注入された校正ガスが保護枠に形成された貫通孔を通過して防爆ケース内のセンサーに到達するので、防滴ケースの外周を遮蔽する作業が不要となり、校正作業を簡素化することができる。
【図面の簡単な説明】
【図１】図（イ）乃至（ハ）は、それぞれ本発明の防滴カバーの一実施例を示す正面図、断面図、及び壁部を拡大して示す断面図である。
【図２】光学式ガスセンサーの一実施例を示す断面図である。
【図３】同上センサーに防爆ケースを装着した状態を示す断面図である。
【図４】図（イ）、（ロ）は、同上防爆ケースが装着されたセンサーにさらに保護枠を装着したセンサーユニットの一実施例を示す断面図と正面図である。
【図５】同上センサーユニットにカバーを装着した状態で校正ガスを注入した状態を示す図である。
【図６】図（イ）、（ロ）は、それぞれ従来の防滴カバーに収容されたセンサーの一例を、測定状態、及び一部を切り欠いて校正状態で示す図である。
【符号の説明】
１  防滴カバー
２  蓋部
３  挿入口
４  筒状体
５  パッキン
６  校正ガス注入口
７  保護筒
７ａ  貫通孔
８  ガス透過性膜
９、１０  金網
１１  内筒
２０  センサーユニット
２１  ガス取入口
２２  チャンバー
２３  発光素子
２４  受光素子
２５  センサーユニット
２６  防爆ケース
２７  基台
２８  保護枠
２９  貫通孔
３０  パッキン
【図１】
0003788725.tif 000002
【図２】
0003788725.tif 000003
【図３】
0003788725.tif 000004
【図４】
0003788725.tif 000005
【図５】
0003788725.tif 000006
【図６】
0003788725.tif 000007